(57)【特許請求の範囲】
【請求項１】
干渉縞を感光体上に露光転写すべく該感光体上に干渉縞を形成するための干渉光学系を有し、該干渉光学系を経由した光が照射された回折格子からの回折光による干渉光の位相情報に基づいて前記干渉縞の位置合わせを行うことを特徴とする露光装置。
【請求項２】
更に前記感光体の位置制御用のステージと、該ステージ上の前記感光体をアライメントする為のアライメント手段を有し、前記回折格子は前記ステージ上に設けられていることを特徴とする請求項１記載の露光装置。
【請求項３】
更に前記干渉光学系に併置された縮小投影露光系を有することを特徴とする請求項１記載の露光装置。
【請求項４】
干渉光学系を有する干渉縞形成手段と、該干渉縞形成手段による干渉縞の位置を制御する為の干渉縞制御手段と、前記干渉光学系を経由した光が照射された回折格子からの回折光による干渉光の位相情報に基づいて前記干渉縞の位置情報を検出する為の干渉縞位置検出手段と、基板の位置情報を検出する為の基板位置検出手段と、基板用ステージとを有し、前記干渉縞位置検出手段により検出した干渉縞の位置情報をもとに前記干渉縞制御手段により干渉縞を位置決めし、前記基板位置検出手段により検出した基板の位置情報をもとに基板を位置決めすることにより、前記基板上の前記干渉縞を露光すべき位置に前記干渉縞を形成することを特徴する露光装置。
【請求項５】
前記干渉縞形成手段が少なくとも、可干渉光源と、可干渉光源からの光を分離する分離手段と、分離された光を反射させて所定の入射角度で基板に入射させる反射手段とを有することを特徴とする請求項４記載の露光装置。
【請求項６】
前記干渉縞制御手段が、前記反射手段の位置を検出する手段と、前記反射手段の位置を変位させる駆動手段とから構成されることを特徴とする請求項５記載の露光装置。
【請求項７】
前記基板用ステージ上に回折格子を形成した基準マーク台を設け、干渉縞位置検出手段は該回折格子からの回折光の位相情報を検出することを特徴とする請求項４記載の露光装置。
【請求項８】
前記干渉縞位置検出手段が、可干渉光源と、周波数変調器と、受光手段と、位相差計を有し、可干渉光源からの光を周波数変調器で周波数変調した後、前記反射手段に入射させ、前記基準マーク台上の回折格子に所定角度で入射させ、該回折格子からの回折光を受光手段で検出し、受光手段の出力と参照信号との位相差を位相差計で検出することを特徴とする請求項７記載の露光装置。
【請求項９】
前記干渉縞形成手段により形成される干渉縞の領域内の複数の位置に、該基板用ステージの干渉計を基準に回折格子マークを位置決めした後、前記干渉縞位置検出手段により、それぞれの位置において該回折格子からの回折光を受光し、複数の位置における干渉縞と回折格子の相対位置ずれ量を算出し、該複数の位置ずれ量をもとに該基板用ステージ軸に対する干渉縞の位置ずれを、干渉縞配列方向のシフト量（Ｓｘ）、回転量（ωｚ）、干渉縞の倍率（β）の３つのパラメータに関して検出することを特徴とする請求項８記載の露光装置。
【請求項１０】
前記基板位置検出手段により、基板上のアライメントマーク位置を検出することにより、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出することを特徴とする請求項４記載の露光装置。
【請求項１１】
前記干渉縞位置検出手段により、前記干渉縞形成手段により形成される干渉縞の該基板用ステージ軸に対する位置ずれを干渉縞配列方向のシフト量（Ｓｘ）、回転量（ωｚ）、干渉縞の倍率（β）の３つのパラメータに関して検出し、前記基板位置検出手段により、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出し、干渉縞を（Ｒｘ−ωｚ）回転させ、干渉縞の倍率を（βｘ−β）補正し、干渉縞の位置を（−Ｓｘ）補正し、基板上の回路パターンを前記６つのパラメータ（Ｓｗｘ、Ｓｗｙ、βｘ、βｙ、Ｒｘ、Ｒｙ）を用いて位置合わせし、該干渉縞を基板上の回路パターン上に露光することを特徴とする請求項４記載の露光装置。
【請求項１２】
前記干渉縞位置検出手段により、前記干渉縞形成手段により形成される干渉縞の該基板用ステージ軸に対する位置ずれを干渉縞配列方向のシフト量（Ｓｘ）、回転量（ωｚ）、干渉縞の倍率（β）の３つのパラメータに関して検出し、前記基板位置検出手段により、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出し、干渉縞の倍率を（βｘ−β）補正し、基板上の回路パターンを前記６つのパラメータ（Ｓｗｘ、Ｓｗｙ、βｘ、βｙ、Ｒｘ、Ｒｙ）および該干渉縞のシフト量（Ｓｘ）と回転量（ωｚ）を用いて位置合わせし、該干渉縞を基板上の回路パターン上に露光することを特徴とする請求項４記載の露光装置。
【請求項１３】
前記基準マーク台上の回折格子上または、その近傍に該基板位置検出手段で検出可能なマークを形成し、該基板位置検出手段で該マークを検出することにより、該干渉縞形成手段により形成される干渉縞に対する該基板位置検出手段の位置変動を補正することを特徴とする請求項７記載の露光装置。
【請求項１４】
干渉光学系を有する干渉縞形成手段と、該干渉縞形成手段による干渉縞の位置を制御する為の干渉縞制御手段と、前記干渉光学系を経由した光が照射された回折格子からの回折光による干渉光の位相情報に基づいて前記干渉縞の位置情報を検出する為の干渉縞位置検出手段と、基板の位置情報を検出する為の基板位置検出手段と、レチクル保持手段と、レチクルアライメント手段と、縮小投影露光系と、該レチクル保持手段に保持されたレチクルを照明して該レチクル上のパターンを該縮小投影露光系により該基板上に縮小投影するための照明手段と、基板用ステージを有し、前記干渉縞位置検出手段により検出した前記干渉縞の位置情報をもとに前記干渉縞制御手段により前記干渉縞を位置決めし、前記レチクルアライメント手段により前記レチクルを前記縮小投影露光系に位置合わせし、前記基板位置検出手段により検出した前記基板の位置情報をもとに該基板を前記干渉縞に対して位置決めして前記干渉縞を該基板上に露光し、前記基板位置検出手段により検出した前記基板の位置情報をもとに、該基板を縮小投影露光系に位置決めして該レチクル上パターンを該基板上に露光することを特徴する露光装置。
【請求項１５】
二光束干渉露光、縮小投影露光、二光束干渉露光と縮小投影露光の多重露光の３つの露光モードが選択できることを特徴する請求項１４記載の露光装置。
【請求項１６】
前記干渉縞形成手段と前記縮小投影露光系で使用する露光用の光源の波長を互いに等しくしたことを特徴する請求項１４記載の露光装置。
【請求項１７】
請求項１から１６のいずれかに記載の露光装置を用いて形成したパターンから回路を作成してデバイスを製造することを特徴とするデバイスの製造方法。
【発明の詳細な説明】
【０００１】
【発明の属する技術分野】
本発明は露光装置及びそれを用いたデバイス製造方法に関し、特に微細なラインアンドスペースを製造する方法及び製造装置、具体的には回折格子を利用した光学素子や、半導体レーザや、半導体集積回路素子等の半導体装置の製造方法及び製造装置に良好に適用できるものである。
【０００２】
【従来の技術】
従来、ラインアンドスペースパターンを形成する第１の方法として、図１に示すように感光剤の塗布された基板上に、二光束干渉縞を形成し、露光後、現像処理して、感光剤でラインアンドスペースパターンを形成し、その感光剤のラインアンドスペースパターンをマスクにして基板をエッチング処理することにより基板上にラインアンドスペースパターンを形成していた。
【０００３】
図１のように、レーザ等の可干渉光源からの光をビームスプリッタ１０１で二分し、ミラー１０２、１０３で反射させて、基板１０４上で交差させる。この時、二光束の交差領域１０５には、両光束の入射角度をθ、可干渉光源の波長をλとした時、形成される干渉縞すなわちラインアンドスペースパターンのピッチＰは、
Ｐ＝λ／（２sinθ）
と表せる。例えば、可干渉光源としてλ＝325ｎｍのHe-Cdレーザ、入射角θ＝６０度とすると、Ｐ＝0.188um（ラインアンドスペースで0.1um以下）のラインアンドスペースパターンを作製することが可能である。
【０００４】
この二光束干渉縞露光方法は、マスク上にパターンをEB描画機により作製し、それを縮小投影露光装置を使って製造する縮小投影露光方法に比べて装置コストが低く、また現在主流のエキシマレーザを光源とする縮小投影露光装置よりもラインアンドスペース0.15um以下のパターンを形成することが容易で縮小投影露光より優れた解像性能が得られるなどの特長がある。
【０００５】
【発明が解決しようとする課題】
しかしながら、例えば、半導体素子は、基板（ウエハ）上に多数層の回路パターンを重ねて形成されるので、２層目以降の回路パターンをウエハ上に露光する場合には、ウエハ上の既に回路パターンが形成された各ショット領域とこれから露光する回路パターンとの位置合わせを高精度に行う必要がある。現状の干渉縞露光装置では、干渉縞の露光される位置を直接制御する具体的方法が無いため、次々に回路パターンを重ねて合わせる必要のある半導体ＩＣ素子の製造用に使用する為には更なる工夫が必要である。
【０００６】
本発明は、所望の干渉縞を基板（ウエハ）上の所望の位置に正確に露光することを可能とする露光装置と、これを用いたデバイスの製造方法を提供することを目的とする。
【０００７】
【課題を解決するための手段】
上記目的を達成するための第１の発明は、干渉縞を感光体上に露光転写すべく該感光体上に干渉縞を形成するための干渉光学系を有し、該干渉光学系を経由した光が照射された回折格子からの回折光による干渉光の位相情報に基づいて前記干渉縞の位置合わせを行うことを特徴とする露光装置である。
【０００９】
第２の発明は更に、前記感光体の位置制御用のステージと、該ステージ上の前記感光体をアライメントする為のアライメント手段を有し、前記回折格子は前記ステージ上に設けられていることを特徴とする。
【００１０】
第３の発明は更に、更に前記干渉光学系に併置された縮小投影露光系を有することを特徴とする。
【００１１】
上述の目的を達成するための第４の発明は、干渉光学系を有する干渉縞形成手段と、該干渉縞形成手段による干渉縞の位置を制御する為の干渉縞制御手段と、前記干渉光学系を経由した光が照射された回折格子からの回折光による干渉光の位相情報に基づいて前記干渉縞の位置情報を検出する為の干渉縞位置検出手段と、基板の位置情報を検出する為の基板位置検出手段と、基板用ステージとを有し、前記干渉縞位置検出手段により検出した干渉縞の位置情報をもとに前記干渉縞制御手段により干渉縞を位置決めし、前記基板位置検出手段により検出した基板の位置情報をもとに基板を位置決めすることにより、前記基板上の前記干渉縞を形成すべき位置に前記干渉縞を露光することを特徴する露光装置である。
【００１２】
第５発明は更に、前記干渉縞形成手段が少なくとも、可干渉光源と、可干渉光源からの光を分離する分離手段と、分離された光を反射させて所定の入射角度で基板に入射させる反射手段とを有することを特徴とする。
【００１３】
第６発明は更に、前記干渉縞制御手段が、前記反射手段の位置を検出する手段と、前記反射手段の位置を変位させる駆動手段とから構成されることを特徴とする。
【００１４】
第７発明は更に、前記基板用ステージ上に回折格子を形成した基準マーク台を設け、干渉縞位置検出手段は該回折格子からの回折光の位相情報を検出することを特徴とする。
【００１５】
第８発明は更に、前記干渉縞位置検出手段が、可干渉光源と、周波数変調器と、受光手段と、位相差計を有し、可干渉光源からの光を周波数変調器で周波数変調した後、前記反射手段に入射させ、前記基準マーク台上の回折格子に所定角度で入射させ、該回折格子からの回折光を受光手段で検出し、受光手段の出力と参照信号との位相差を位相差計で検出することを特徴とする。
【００１６】
第９発明は更に、前記干渉縞形成手段により形成される干渉縞の領域内の複数の位置に、該基板用ステージの干渉計を基準に回折格子マークを位置決めした後、前記干渉縞位置検出手段により、それぞれの位置において該回折格子からの回折光を受光し、複数の位置における干渉縞と回折格子の相対位置ずれ量を算出し、該複数の位置ずれ量をもとに該基板用ステージ軸に対する干渉縞の位置ずれを、干渉縞配列方向のシフト量（Ｓｘ）、回転量（ωｚ）、干渉縞の倍率（β）の３つのパラメータに関して検出することを特徴とする。
【００１７】
第１０発明は更に、前記基板位置検出手段により、基板上のアライメントマーク位置を検出することにより、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出することを特徴とする。
【００１８】
第１１発明は更に、前記干渉縞位置検出手段により、前記干渉縞形成手段により形成される干渉縞の該基板用ステージ軸に対する位置ずれを干渉縞配列方向のシフト量（Ｓｘ）、回転量（ωｚ）、干渉縞の倍率（β）の３つのパラメータに関して検出し、前記基板位置検出手段により、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出し、干渉縞を（Ｒｘ−ωｚ）回転させ、干渉縞の倍率を（βｘ−β）補正し、干渉縞の位置を（−Ｓｘ）補正し、基板上の回路パターンを前記６つのパラメータ（Ｓｗｘ、Ｓｗｙ、βｘ、βｙ、Ｒｘ、Ｒｙ）を用いて位置合わせし、該干渉縞を基板上の回路パターン上に露光することを特徴とする。
【００１９】
第１２発明は更に、前記干渉縞位置検出手段により、前記干渉縞形成手段により形成される干渉縞の該基板用ステージ軸に対する位置ずれを干渉縞配列方向のシフト量（Ｓｘ）、回転量（ωｚ）、干渉縞の倍率（β）の３つのパラメータに関して検出し、前記基板位置検出手段により、基板上に複数配列された回路パターンの該基板用ステージ軸に対する配列誤差を、Ｘ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出し、干渉縞の倍率を（βｘ−β）補正し、基板上の回路パターンを前記６つのパラメータ（Ｓｗｘ、Ｓｗｙ、βｘ、βｙ、Ｒｘ、Ｒｙ）および該干渉縞のシフト量（Ｓｘ）と回転量（ωｚ）を用いて位置合わせし、該干渉縞を基板上の回路パターン上に露光することを特徴とする。
【００２０】
第１３発明は更に、前記基準マーク台上の回折格子上または、その近傍に該基板位置検出手段で検出可能なマークを形成し、該基板位置検出手段で該マークを検出することにより、該干渉縞形成手段により形成される干渉縞に対する該基板位置検出手段の位置変動を補正することを特徴とする請求項８記載の露光装置。
【００２１】
上述目的を達成するための第１４発明は、干渉光学系を有する干渉縞形成手段と、該干渉縞形成手段による干渉縞の位置を制御する為の干渉縞制御手段と、前記干渉光学系を経由した光が照射された回折格子からの回折光による干渉光の位相情報に基づいて前記干渉縞の位置情報を検出する為の干渉縞位置検出手段と、基板の位置情報を検出する為の基板位置検出手段と、レチクル保持手段と、レチクルアライメント手段と、縮小投影露光系と、該レチクル保持手段に保持されたレチクルを照明して該レチクル上のパターンを該縮小投影露光系により該基板上に縮小投影するための照明手段と、基板用ステージを有し、前記干渉縞位置検出手段により検出した前記干渉縞の位置情報をもとに前記干渉縞制御手段により前記干渉縞を位置決めし、前記レチクルアライメント手段により前記レチクルを前記縮小投影露光系に位置合わせし、前記基板位置検出手段により検出した前記基板の位置情報をもとに該基板を前記干渉縞に対して位置決めして前記干渉縞を該基板上に露光し、前記基板位置検出手段により検出した前記基板の位置情報をもとに、該基板を縮小投影露光系に位置決めして該レチクル上パターンを該基板上に露光することを特徴する露光装置である。
【００２２】
第１５発明は更に、二光束干渉露光、縮小投影露光、二光束干渉露光と縮小投影露光の多重露光の３つの露光モードが選択できることを特徴する。
【００２３】
第１６発明は更に、前記干渉縞形成手段と前記縮小投影露光系で使用する露光用の光源の波長を等しくしたことを特徴とする。
【００２４】
上述目的を達成するための第１７発明は、上述の第１発明乃至第１６発明のいずれかの露光装置を用いて形成したパターンから回路を作成してデバイスを製造することを特徴とするデバイスの製造方法である。
【００２５】
【発明の実施の形態】
以下、図面を用いて本発明の実施形態を説明する。
【００２６】
図２は本発明の第１の実施形態の半導体露光装置の概念を示すブロック図である。同図において、１は干渉縞形成手段、２は干渉縞の位置を制御する干渉縞制御手段（以下、「干渉縞位置制御手段」と記す）、３は干渉縞位置検出手段、４は基板位置検出手段、５は基板用ステージ、６は中央処理制御手段、７は半導体基板（ウエハ）、３８は干渉縞位置検出手段で用いる基準マーク台である。
【００２７】
本装置では、干渉縞形成手段１で形成された干渉縞の位置を干渉縞位置検出手段３で計測し、位置ずれ量を中央処理制御手段６に送る。また、基板７の位置を基板位置検出手段４で計測し、位置ずれ量を中央処理制御手段６に送る。中央処理制御手段は、干渉縞の位置ずれ量と、基板の位置ずれ量とをもとに、干渉縞位置制御手段２および基板用ステージ５に指令値を送り、基板７と干渉縞形成手段１で形成された干渉縞の位置決め（アライメント）を行い、基板上に露光する。
【００２８】
以下、本実施形態における各手段の詳細構成を説明する。
【００２９】
図３は図２のブロック図の主要部分の具体的説明図である。
【００３０】
干渉縞形成手段１は、図３に示すように可干渉光源１１、偏光プリズム１２、ビームスプリッター１３、ビームエクスパンダ１４、偏光ビームスプリッター１５、２分の１波長板（λ／２板）１６、光路長補正板１７、ミラー１８、ミラー１９とから構成されている。
【００３１】
可干渉光源１１としては本実施例では、波長４９６ｎｍのアルゴンレーザー（ビーム径Φ１ｍｍ）を使用した。可干渉光源１１からの光束は、偏光プリズム１２で、後述する偏光ビームスプリッター１５のＰ方向（Ｓ方向）に対し４５°の角度を成す直線偏光になり、ビームスプリッター１３を透過する。ビームスプリッター１３を透過した光はビームエクスパンダー１４に入射し、２０倍に拡大されてΦ２０ｍｍのビームになる。ビームエクスパンダーの倍率は、有効露光面積と使用する可干渉光源のビームサイズから決定すれば良い。
【００３２】
ビームエクスパンダー１４で拡大されたビームは、偏光ビームスプリッター１５で分割され、透過したP偏光の光は、λ／２板１６を通りS偏光の光に変換された後ミラー１８で偏向される。偏光ビームスプリッター１５で反射したS偏光の光は、光路長補正板１７を通り、ミラー１９で偏向される。なお、光路長補正板１７は、ミラー１８で偏向された光（ビームA）とミラー１９で偏向された光（ビームB）の光路長を揃える目的で設置したもので、使用する可干渉光源１の可干渉距離が、上記２光束光路長差に比べて十分長い場合には設置しない構成でもよい。
【００３３】
ミラー１８、１９の反射面（ミラー面）は、図３の座標系で、ｙｚ平面と平行にしてあり、入射角θ０を４５度とした。この時、ビームAとビームBの偏光方向は共にS偏光で揃っているため、ビームAとビームBの交差する領域には図３に示すように、X方向に配列した干渉縞Ｆが形成される。この時干渉縞のピッチPは、
P＝λ／（２ｓｉｎθ０）        …（１）
と表される。λは可干渉光源の波長である。λ＝４９６ｎｍ、θ０＝４５度の時、P＝３５０ｎｍの干渉縞になる。
【００３４】
続いて、干渉縞位置制御手段２について説明する。干渉縞位置制御手段２は、図３において示されるように、ミラー１８、１９それぞれに設けられた干渉計２０とアクチュエーター２１とから構成されている。干渉計２０はミラー１８、１９の裏面からの反射光を検出することにより、図３の座標系でミラー１９のX方向、ωｙ方向（Y軸周りの回転）、ωｚ方向（Z軸周りの回転）の変位量を計測できるようにしている。
【００３５】
ここで、ミラー１９のミラー面の垂線方向の軸と、その軸と直交する２軸周りの回転の合計３軸をモニターすることが干渉縞の位置を制御する上で重要であり、ミラー１９面内の併進、ミラー１９面内の回転は、干渉縞の位置変化には影響しない。ミラー１９の初期設定角度に合わせて、干渉計２０の取り付け角度を決定することにより、本実施例のように、３軸の干渉計で対応できる。通常は、干渉計２０の３軸の出力が一定になるように、アクチュエータ２１に指令値を送りサーボをかけることでミラー１８、１９の位置を制御している。ミラー１８、１９の角度ωｙ、ωｚまたはX方向の位置を変化させたい場合は、それぞれ３軸に対応した干渉計２０の出力が所望の値になるようにサーボの目標値を変えれば良い。
【００３６】
尚、このような干渉系２０とアクチュエータ２１をミラー１９の側にのみ設け、ミラー１９のみの位置制御で干渉縞の位置制御を行う構成でもよい。この場合は干渉縞の形成高さの変化を見こして、角度ωｙ、ωｚ、X方向位置の制御を行う際に同時に、干渉縞形成手段１と干渉縞位置制御手段２の高さを一体的に調整する。
【００３７】
次に、干渉縞位置検出手段３について説明する。本実施形態で用いた干渉縞位置検出手段３は、図３において示されるように、可干渉光源１１、ビームスプリッター１３、ミラー２９、偏光ビームスプリッター３１ａ、ミラー３２ａ、周波数変調器３３ａと３３ｂ、ミラー３２ｂ、偏光ビームスプリッター３１ｂ、ビームスプリッター３４、ビーム分割プリズム３５、偏光板３６ａ、受光素子３７ａ，偏光ビームスプリッター１５、光路長補正板１７、λ／２板１６、ミラー１８と１９、基準マーク台３８上の回折格子３９、偏光板３６ｂ、受光素子３７ｂ、３７ｃ、３７ｄ、位相差計３０から構成される。これらの内、可干渉光源１１、ビームスプリッター１３、偏光ビームスプリッター１５、光路長補正板１７、λ／２板１６、ミラー１８と１９は干渉縞形成手段１と共用されていることになる。
【００３８】
可干渉光源１１からの光はビームスプリッター１３で一部が反射され、ミラー２９で反射し、この光の直線偏光方向にＰ方向（Ｓ方向）が４５°を成す偏光ビームスプリッター３１ａで二分される。反射したＳ偏光の光は、ＡＯＭ等の周波数変調器３３ａで、もとの周波数ｆから周波数ｆ１の周波数変調を受け周波数ｆ＋ｆ１の光となり、ミラー３２ｂで偏向されて、偏光ビームスプリッター３４に入射する。一方偏光ビームスプリッターを透過したＰ偏光の光はミラー３２ｂで偏向され、ＡＯＭ等の周波数変調器３３ｂで周波数ｆ２の周波数変調を受け、周波数ｆ＋ｆ２の光となり、偏光ビームスプリッター３４に入射する。偏光ビームスプリッター３４に入射した周波数ｆ＋ｆ１のＳ偏光の光と、周波数ｆ＋ｆ２のＰ偏光の光は合成され、ビームスプリッター３４で一部の光が図面左側方向に進行し、偏光板３６ａで偏光方向を揃えた後、受光素子３７ａで受光される。ビームスプリッター３４を図面右側方向に進行した合成光は、ビーム分割素子３５により、３本の平行なビームに三分割される。
【００３９】
図４は、ビーム分割素子の構成を示してあり、２つのビームスプリッター３５ａと３５ｂおよび、ミラープリズム３５ｃ、３５ｅ及びガラスキューブ３５ｄから構成された一体型のプリズムとなっている。ビームスプリッター３４で同一光路上に合成された光４１は、ビームスプリッター３５ａに入射し、一部は透過する（光41a）。ビームスプリッター３５ａで反射した光は、ビームスプリッター３５ｂで２等分され、透過光は、ミラープリズム３５ｃで偏向される（光41b）。ビームスプリッター３５ｂでの反射光は、ガラスキューブ３５ｄを通り、ミラープリズム３５ｅで偏向される（光41c）。ビームスプリッター３５ａと３５ｂの透過率／反射率及び、ミラープリズム３５ｃと、３５ｂの反射率は、分割された３光束（41a,41b,41c）の強度が、ほぼ等しくなるように設計してある。
【００４０】
図３に戻って、このようにして作成した３本のビームは、偏光ビームスプリッター１５に入射し、周波数ｆ＋ｆ１のＳ偏光の光は反射し、周波数ｆ＋ｆ２のＰ偏光の光は透過する。反射したＳ偏光の光は、λ／２板１６を通りＰ偏光に変換され、ミラー１８で偏向される。また、偏光ビームスプリッター１５を透過するＰ偏光の光は光路長補正板１７を通り、ミラー１９で偏向される。
【００４１】
図５は、３本のビームが、基準マーク台３８上で重なる様子を示したものである。図５のように、基準マーク台３８の上面は、基板７の上面の高さと一致させており、基準マーク台３８の上面では、光41cRと41cLが重なり、光41bRと41aLが重なり、光41aRと41bLが重なる。
【００４２】
図６は基準マーク台３８上の模式図である。図６に示すように、この各ビームの重なる位置に、基準マーク台３８上の回折格子マーク３９が位置するようにステージ５を駆動して、基準マーク台３８上の回折格子マーク３９の位置ずれをch1,ch2,ch3の３箇所で順次検出する。ここでch1は光41cRと41cLの、 ch2は光41bRと41aLの、 ch3は41aRと41bLの、基準マーク台３８上でのそれぞれの重なり位置を示す。４２は、ビームAとビームBによる干渉縞である。
【００４３】
回折格子３９は、Ｘ方向に格子が配列した直線回折格子であり、そのピッチは、P＝0.496μｍ／sin(４５°）＝0.7umとしている。これにより、波長0.496μｍの光が４５°の入射角で回折格子３９に入射した場合の回折光が、回折格子３９の法線方向（Ｚ方向）に回折するようにしている。回折格子マーク３９が各計測位置ｃｈ１、ｃｈ２、ｃｈ３にあるとき、両側から入射した光の回折光は、それぞれ受光素子３７ｂ、３７ｃ、３７ｄで受光される。受光素子３７ｂ、３７ｃ、３７ｄの出力は、位相差計３０のシグナル信号に入力され、受光素子３７ａの参照信号との位相差を検出する。
【００４４】
次に、干渉縞位置ずれ検出の原理について説明する。３７ａで検出される参照信号の交流成分は、ビート周波数（ｆ１−ｆ２）の正弦波信号となり、
Ir＝Ａ×cos{２π（ｆ１−ｆ２）ｔ＋（φ１−φ２）｝  …（２）
である。
【００４５】
ここで、Ａは定数で、ｔは時間、φ１は周波数ｆ＋ｆ１の光の位相、φ２は周波数ｆ＋ｆ２の光の位相である。また、ｃｈ１位置での回折格子３９からの回折光を受光したときの受光素子３７ｂの交流成分は、ビート周波数（ｆ１−ｆ２）の正弦波信号となり、
I1＝ Ｂ×cos{２π（ｆ１−ｆ２）ｔ＋（φ１−φ２）＋ｄφ１＋４πＸ１／Ｐ｝…（３）
と表される。ここで、Ｂは定数で、ｄφ１は光41cRと41cLのビームスプリッタ３４から回折格子３９までの光路長差で決まる位相差量、Ｘ１は、ｃｈ１位置での干渉縞４２に対する回折格子３９のＸ方向の位置ずれ、Ｐは回折格子３９のピッチである。
【００４６】
また、ｃｈ２位置での回折格子３９からの回折光を受光したときの受光素子３７ｃの交流成分は、ビート周波数（ｆ１−ｆ２）の正弦波信号となり、
I2＝Ｃ×cos{２π（ｆ１−ｆ２）ｔ＋（φ１−φ２）＋ｄφ２＋４πＸ２／Ｐ｝…（４）
と表される。ここで、Ｃは定数で、ｔは時間、ｄφ２は光41bRと41aLのビームスプリッタ３４から回折格子３９までの光路長差で決まる位相差量、Ｘ２は、ｃｈ２位置での干渉縞４２に対する回折格子３９のＸ方向の位置ずれである。
【００４７】
また、ｃｈ３位置での回折格子３９からの回折光を受光したときの受光素子３７ｄの交流成分は、ビート周波数（ｆ１−ｆ２）の正弦波信号となり、
I3＝Ｄ×cos{２π（ｆ１−ｆ２）ｔ＋（φ１−φ２）＋ｄφ３＋４πＸ３／Ｐ｝…（５）
と表される。ここで、Ｃは定数で、ｔは時間、ｄφ３は光41aRと41bLのビームスプリッタ３４から回折格子３９までの光路長差で決まる位相差量、Ｘ３は、ｃｈ３位置での干渉縞４２に対する回折格子３９のＸ方向の位置ずれである。
【００４８】
（３）、（４）、（５）式におけるｄφ１、ｄφ２、ｄφ３は、固定値であり、この固定値の除去の方法は後で述べる。
【００４９】
位相差計３０により、（２）式の参照信号と（３）式のｃｈ１の信号の位相差を検出し、固定値を除去すると、
φch1=４πＸ１／Ｐ        …（６）
となり、ｃｈ１の位置での干渉縞４２に対する回折格子３９の位置ずれに比例した位相差検出信号が得られる。
【００５０】
計測レンジは±πの範囲として±Ｐ／４のレンジとなる。同様に、位相差計３０により、（２）式の参照信号と（４）式のｃｈ２の信号の位相差を検出し、固定値を除去すると、
φch2=４πＸ２／Ｐ        …（７）
となり、ｃｈ２の位置での干渉縞４２に対する回折格子３９の位置ずれに比例した位相差検出信号が得られる。
【００５１】
さらに、位相差計３０により、（２）式の参照信号と（５）式のｃｈ３の信号の位相差を検出し、固定値を除去すると、
φch3=４πＸ３／Ｐ        …（８）
となり、ｃｈ３の位置での干渉縞４２に対する回折格子３９の位置ずれに比例した位相差検出信号が得られる。
【００５２】
（６）、（７）、（８）式を別の見方をすると、ステージ５のＸ軸を基準にして（ステージ５の位置を決めているのは、図２には不図示のステージ干渉計であるためステージ干渉計の測定位置を基準にしてと考えられる）、それぞれ、ｃｈ１、ｃｈ２、ｃｈ３の位置における本来あるべき位置に対する干渉縞の位置ずれＸ１、Ｘ２、Ｘ３を検出していることになる。続いて、（６）、（７）、（８）式から計測されるＸ１、Ｘ２、Ｘ３を用いて、干渉縞４２のステージ５の軸に対するシフトエラー量Ｓｘ、倍率エラー量β、回転エラー量ωzを以下の式で求める。シフトエラー量Ｓｘは、
Ｓｘ＝（Ｘ１＋Ｘ２＋Ｘ３）／３                …（９）
として求め、倍率エラー量βは、測定位置ｃｈ２とｃｈ３のＸ方向の距離Ｌxとして
β＝（Ｘ２−Ｘ３）／Ｌx                    …（１０）
の式により求め、回転エラー量ωzは測定位置ｃｈ１と（ｃｈ３に対してＹ方向の位置は等しい）測定位置ｃｈ２のＹ方向の距離Ｌyとして、
ωz＝｛Ｘ１−（Ｘ２＋Ｘ３）／２｝／Ｌy        …（１１）
の式により算出する。
【００５３】
つづいて、前述の（３）、(４）、(５）式に含まれる固定値（オフセット）であるｄφ１、ｄφ２、ｄφ３の測定の方法について説明する。
【００５４】
基板７上に回折格子３９と同じピッチの回折格子を作成し、その上にレジストを塗布する。回折格子の作成されたウエハを回折格子の配列方向がＸ方向になるように本露光装置上にロードし、ｃｈ１位置に回折格子マークを位置決めした後に、前述の方法で位相差φch1を検出し、（６）式から算出した位置ずれ量Ｘ１に基づいて、基板７の位置をステージ５をＸ方向に駆動してφch1＝０になるように位置合わせを行う。その後、アライメント光４１をストッパー４０で遮光して、干渉縞を回折格子５０上に露光する。
【００５５】
露光後、レジストを現像処理することにより、図７のように、回折格子５０上に、その１／２のピッチの回折格子状レジストパターン４６Rが得られる。この基板を測長SEMを用いて、回折格子５０と回折格子状レジストパターン４６Rの位置ずれXoffを測定する。このXoffが固定値位相ｄφ１を位置ずれ量に変換した量に相当する。同様の作業をｃｈ２、ｃｈ３位置においても繰り返すことにより、固定値位相ｄφ２、ｄφ３を位置ずれ量に変換した量が求まる。したがって、この各計測位置のアライメント検出系のオフセットXoffをそれぞれ、（６）、（７）、（８）式より得られる計測値から差し引くことにより、オフセットの除去が可能である。この作業は、露光装置（位置合せ装置）を組み立てた後に一度実行するだけでも充分であり、これによりスループットを低下させるようなことはない。
【００５６】
続いて、干渉縞の位置合わせ方法について説明する。シフトエラーに関しては、（９）式で求めたシフト量を打ち消す方向にミラー１８と１９をＸ方向に駆動することになる。また、回転ずれに関しても（１１）式で求めた回転量を打ち消す方向（図８参照）即ちミラー１８と１９を−ωz方向に駆動することになる。倍率エラーβの補正は、ミラー１８、１９をωy方向に駆動して行う。図９は入射角度が４５度から、±２０μrad変化する場合の干渉縞の倍率（ピッチ）変化を計算したものである。図９から分かるように、入射角度1μradに対して、干渉縞の倍率は-0.785ppm変化する（干渉縞の倍率を1ppm変化させるために必要な入射角度変化量は-1.27μrad）。更に、ミラー１８、１９のωy方向の角度変化に対して入射角は２倍の感度で変化することを考慮して、干渉縞の倍率を1ppm変化させるために必要なミラー１８、１９のωy方向の角度変化量は-0.64μradとなる。したがって、倍率エラーβを補正するためには、ミラー１８、１９をωy方向に0.64βμrad補正すれば良い。
【００５７】
以上の方法により、干渉縞パターンを基板用ステージ５の座標軸に位置合わせすることができる。基板上にパターンが無い時等、下地回路パターンに、干渉縞パターンを位置合わせする必要のない場合は基本的にこの操作だけで位置合わせが完了する。
【００５８】
最後に、回路パターンが形成された基板の位置検出の手法について説明する。
【００５９】
図１０は、基板７上に下層の回路パターン４３が多数ショット配列して形成されている様子を示す説明図である。基板上には、回路パターン４３の周辺すなわちスクイライブライン上にアライメントマーク４４が形成されている。このアライメントマーク４４は、回路パターン４３と同時に露光されるため回路パターン４３の位置ずれを反映している。
【００６０】
図１１には本発明に用いたアライメントマークとアライメントスコープ（基板位置検出手段）および、アライメントスコープで得られた画像の処理方法を示している。アライメントマーク４４は図１１(A)に示すように、４本バーのＸ方向位置検出用のマーク４４Ｘ、４本バーのＹ方向検出用のマーク４４Ｙからなる。
【００６１】
図１１(B)のアライメントスコープ４は、アライメント光照明系５０、ハーフミラー５１、拡大レンズ５２、CCDカメラ５３で構成されている。アライメントマーク４４の拡大像の撮像信号は、アライメント検出方向とは垂直な方向について積分（一次元積分）され、例えば図１１(c)に示すような光強度分布を得る。この光強度分布に表れた４本バーの内、中の２本のバーのピーク位置（ｐ１、ｐ２）の中点位置ｐｍを求めて、アライメントマークの位置ずれを算出している。
【００６２】
その他、基板位置検出手段としては、本方式に限定されるものでは無く、マークのエッジからの散乱光を検出するものや、回折格子をアライメントマークに用いて、その回折光の位相ずれを検出するものなど他の検出手段を用いても良い。
【００６３】
基板位置検出手段４の下に、基板７上のアライメントマーク４４を基板用ステージ５により位置合わせして、アライメントマーク４４の位置ずれを検出する。更に、基板上の他の位置に形成されている複数のアライメントマーク４４の位置ずれを同様に検出することにより、基板用ステージ５の座標軸に対する基板７の位置ずれを求めることができる。この方法は、グローバルアライメント方法と呼ばれ、基板用ステージ５の軸に対する基板上のショット配列の位置ずれを、６つのパラメータ（Ｘ軸方向のシフト：Ｓｗｘ、Ｙ軸方向のシフト：Ｓｗｙ、Ｘ軸の回転：Ｒｘ、Ｙ軸の回転：Ｒｙ、Ｘ軸方向の倍率：βｘ、Ｙ軸方向の倍率：βｙ）で表すものである。
【００６４】
各計測ショット位置の設計座標を（Ｘi、Ｙi）、実際のショット位置座標を（Ｘi’、Ｙi’）とすると、両者の関係を
【００６５】
【外１】
0004065468.tif 000002
の式の線形変換で表すことができる。
【００６６】
しかしながら、実際のウエハでは、ウエハの歪みや、アライメントスコープの検出再現性のため、実測値（Ｘi’、Ｙi’）に残差（Exi、Eyi）が加わり、実測値（Ｘi”、Ｙi”）は、次式のようになる。
【００６７】
【外２】
0004065468.tif 000003
【００６８】
そこで、Ｘ成分とＹ成分のそれぞれの残差の二乗和が最小になるように最小二乗法を用いる。（１３）式のＸ成分の残差の二乗和は、
【００６９】
【外３】
0004065468.tif 000004
のように表され、未知数であるβｘ、Ｒｙ、Ｓｗｘでそれぞれ偏微分して、偏微分方程式をゼロとした連立方程式を解くことにより、βｘ、Ｒｙ、Ｓｗｘの３つのパラメータが求まる。
【００７０】
また、（１３）式のＹ成分の残差の二乗和は、
【００７１】
【外４】
0004065468.tif 000005
のように表され、同様に、未知数であるβｙ、Ｒｘ、Ｓｗｙでそれぞれ偏微分して、偏微分方程式をゼロとした連立方程式を解くことにより、βｙ、Ｒｘ、Ｓｗｙの３つのパラメータが求まる。
【００７２】
ここで、βｘ、βｙはウエハの伸び縮みを表しており、ショット間隔はステージ５のステップ倍率を変えることで補正できるが、ショット内の倍率補正は、干渉縞側で行う必要がある。特に、干渉縞の配列方向（ここではＸ方向）の倍率変化で生じる重ね合わせ誤差に注意しなければならない。
【００７３】
したがって、本実施例では、干渉縞の基板用ステージ５軸に対する倍率エラーβと、基板７の基板用ステージ５軸に対する倍率エラーβｘを求め、先に説明したように、ミラー１８、１９をωy方向に-0.64×（βｘ−β）μrad補正するようにして、基板７のショット内の回路パターンに対する重ね合わせ精度を向上させている。同様に、回転方向（チップローテーション）についても、ショット内の回路パターンに干渉縞を合わせるため、干渉縞を（Ｒｘ−ωｚ）μrad回転させた後に露光するようにしている。
【００７４】
また、干渉縞のシフトエラーと、回転エラーについては、ミラー１８、１９を駆動させるのでは無く、基板７を露光する場合に、基板側にシフト、回転のオフセットを与えて露光するようにしてもよい。この場合は、基板用ステージ５により、（ωｚーＲｘ）だけ基板７を回転させた後に、次式に基づいて各ショットの位置合わせを行うことになる。
【００７５】
【外５】
0004065468.tif 000006
【００７６】
本装置では、シフトエラーと回転エラーを干渉縞側の変更により行うか、基板そのものの駆動により行うかを、オペレータが選択可能としている。
【００７７】
このように、基板上に既に回路パターンが形成されており（同時にアライメントマークも形成されている）、その基板に対して、干渉縞を露光する場合においても、ステージ５の軸を基準に干渉縞の位置ずれ（Ｓｘ、β、ωｚ）を計測し、一方、基板上のアライメントマークの位置ずれを計測することで、基板上の回路パターンの位置ずれをステージ５の軸を基準に計測し、その後基板上の回路パターンと干渉縞の相対的位置ずれ量を求め、その相対的位置ずれを補正しながら露光することにより、高精度な重ね合わせ精度を達成することができる。
【００７８】
図１２には、以上述べてきたアライメントシーケンスの概要を示す。
【００７９】
干渉縞形成手段１と基板位置検出手段４が離れているため、特に温度変化があるような環境においては、各々の部品を支持している部材の膨張収縮が発生し、干渉縞形成手段１により干渉縞が形成される位置と基板位置検出手段４の距離が変化する。この場合はこの距離変化を補正する必要がある（いわいるベースライン補正）。
【００８０】
本実施形態においては、基準マーク台３８上の回折格子マーク３９の近傍に、図１１(A)に示す基板位置検出用マーク４４ｘ、４４ｙと同等のマーク４４’を配置しておいて、定期的に基板位置検出手段４で基準マーク台３８上のマーク４４’の位置を検出することにより、ステージ５を基準とした基板位置検出手段４の位置ずれを測定できる。
【００８１】
図１１(D)に、この補正方法の原理を示す。同図において、AS軸は基板位置検出手段４の基準軸、W軸は基板７の位置を示す軸、I軸は干渉縞形成手段１で形成される干渉縞の位置を示す軸、FIは基準マーク台３８上の回折格子３９の位置を示す軸、FWは基準マーク台３８上のマーク４４’の位置を示す軸である。
【００８２】
干渉縞の位置ずれ検出により、回折格子３９の位置FIと干渉縞の位置Iとの距離Ｄ１が求まり、基板の位置ずれ検出により、基板位置検出手段４の基準軸ASと基板の位置Wとの距離Ｄ２が求まり、基板位置検出手段４によりマーク４４’の位置ずれを検出により、マーク４４’の位置FWと基板位置検出手段４の基準軸ASの距離Ｄ３が求まる。回折格子３９の位置FIと基板７の位置Ｗの間隔ＤＷは、回折格子３９とマーク４４’の距離Ｄ０（設計値）を用いて、ＤＷ＝Ｄ２−（Ｄ３＋Ｄ０）と表される。このように、回折格子３９に対する干渉縞の位置Ｄ１と回折格子３９に対する基板７の位置Ｄｗが求まり、干渉縞の位置ずれと基板７の位置ずれが、同じ基準に対して求まることになり、基板位置検出手段４の位置変動が補正される。
【００８３】
本実施例では波長４９６ｎｍのアルゴンレーザーを光源に用いる場合で説明したが、波長はこれに限らず、例えば、非線形光学素子を利用した第２高調波変換器を図３のアルゴンレーザ１１と偏光プリズム１２の間に配置して、波長２４８ｎｍ光を露光光およびアライメント光に用いることもできる。この場合は、干渉縞位置ずれ検出用の回折格子３９のピッチをＰg＝0.248/sin(45度)=0.35umとすれば良い。この時、露光されるピッチは、（１）式より、P=0.175umとなり、線幅0.1um以下のラインアンドスペースを解像できる。
【００８４】
また、本実施例では露光光とアライメント光の光源を共通で使用しているが、露光光とアライメント光の光源を個々に設けても良い。
【００８５】
図１３に本発明の第２の実施形態の半導体露光装置の構成該略図を示す。
【００８６】
図１３において、５８は２光束干渉縞露光系で、５７は縮小投影露光系である。７は基板、５は基板用ステージである。２光束干渉縞露光系５８は干渉縞形成手段１、干渉縞位置制御手段２と干渉縞位置検出手段３から構成されており、それぞれの機能については、第１の実施形態で説明した通りとなっている。
【００８７】
縮小投影露光系５７は、レチクル５５を保持する為のレチクルステージ５５ａとレチクルアライメント系５４、縮小投影レンズ５６、基板位置検出手段４が基本構成であり、不図示の露光光照明手段により、レチクル５５を照明して、レチクル５５上のパターンを基板上に縮小投影露光するようにしている。基板用ステージ５は、基板７の全領域を光束干渉縞露光系５８の露光位置と縮小投影露光系５７露光位置の双方の位置に駆動できるストロークを持っている。
【００８８】
図１４はレチクルの模式図である。レチクルアライメント系５４で、レチクルアライメントマーク５１および５２の位置ずれを検出して、レチクルステージ５５ａを用いてステージ５の軸にレチクル５５を位置合合わせする。基板位置検出手段４により、第１の実施例で述べたように、ステージ５の軸に対する基板７上の回路パターンの位置ずれを検出する（グローバルアライメント）。本実施例の露光装置においては、露光の方法として以下に述べるように、図１５の露光シーケンスに示す３つのモードを選択することが可能となっている。すなわち、縮小投影露光のみ、縮小投影露光と干渉露光の両方を行う場合と干渉露光のみを行う場合である。
【００８９】
縮小投影露光モードでは、レチクルアライメントを行い、基板７を露光装置にロードし、基板のアライメントを前述の方法により行い、基板上の各ショット位置におけるステージ５の軸に対する位置ずれ量を算出し、露光すべきショットが無くなるまで、ステージ５をステップ移動させて、位置ずれを補正しつつ縮小投影露光する。
【００９０】
干渉露光モードでは、前述した干渉縞アライメントを行い、基板７を露光装置にロードし、前述したような基板のアライメントを行い、基板上の各ショット位置におけるステージ５の軸に対する位置ずれ量を算出し、露光すべきショットが無くなるまで、ステージ５をステップ移動させて、位置ずれを補正しつつ干渉縞露光する。
【００９１】
縮小投影露光と干渉露光の両方を行うモードでは、レチクルアライメントと干渉縞アライメントを行い、基板７を露光装置にロードし、基板のアライメントを行い、基板上の各ショット位置におけるステージ５の軸に対する位置ずれ量を算出し、露光すべきショットが無くなるまで、ステージ５をステップ移動させて、位置ずれを補正しつつ干渉縞露光し、続いて露光すべきショットが無くなるまで、ステージ５をステップ移動させて、位置ずれを補正しつつ縮小投影露光する。
【００９２】
縮小投影露光と干渉露光の両方を行うモードを使用することにより、干渉縞露光系により作成できる有効露光面積のうち、必要な領域のみのレジストを感光させることが可能である。この方法について、図１４、１６を用いて説明する。
【００９３】
干渉縞露光系により作成できる有効露光エリアが図１６(A)の５０で示されるように存在するとする。このうち、図１６(B)で示す５０Ｗの領域のみのレジストを感光させて、５０Ｗの内部にだけ、ラインアンドスペースパターンを形成したい場合を考える。この時、縮小投影露光で使用するマスクは、図１４のように、図１６(B)の５０Ｗに相当する領域のみ開口部を設けて、露光光を透過させるようにしている。初めに２光束干渉縞露光系５８で、使用するレジストが感光されるレベルEthより低い露光量（例えばEth／２)で干渉縞パターン４９を露光する。この時の、基板上での露光量分布４６を図１７(a)に示す。続いてこの干渉縞パターンに、縮小投影露光系５７により領域５０Ｗに、レチクル上のパターン５０を露光する。２回の露光の積算露光量分布は、図１７(b)に示すように、干渉縞の露光量分布４６と縮小投影露光系による露光量分布４７の和となり、露光量分布４８で示される。この２回の露光により、露光量がレジスト感光レベルEthに達した部分のみのレジスト４５が感光される（図１７(c)における網かけ部分）。続いて、この基板を現像処理することにより、図１７(d)に示すように、領域５０Ｗのみにラインアンドスペースパターンが形成できる。
【００９４】
以上の説明では、レジストをある露光量以上の部分が感光して現像により溶解するポジ型レジストを用いる場合で説明したが、ある露光量以下の部分が現像処理により溶解するネガ型のレジストを用いることもできる。ネガ型レジストを用いる場合は、干渉露光により、レジストが感光してラインアンドスペースパターンが形成できるレベルまで露光し、縮小投影露光により領域５０Ｗの周辺のみを更に露光することになる。したがって、縮小投影露光に使用するレチクルは図１４に示すものとは異なり、５０の領域のみが遮光部となる構造のものを使用する。
【００９５】
このように、干渉露光と投影露光の多重露光をすることにより、レチクルで規定される領域のみにラインアンドスペースパターンを形成することが可能である。
【００９６】
本実施形態では干渉露光用の光源として波長４９６ｎｍのアルゴンレーザーを用い、第２高調波変換器で波長２４８ｎｍの光に変換して使用し、また投影露光の光源としてKrFエキシマレーザ（波長２４８ｎｍ）の光を使用している。このように、干渉露光と投影露光の露光光の波長を同じにした方が、レジスト感度の波長分散特性を考慮しなくて良く、干渉露光と投影露光の多重露光には好ましい。
【００９７】
上述各実施形態の露光装置を用いてレジスト上に転写され、現像されたパターンを用いてエッチングや蒸着、洗浄等の処理を行い、このような処理とレジスト塗布及び上記の露光処理を何度が実施することで、基板上に回路を作成し、半導体チップが製造される。露光以外のこのようなデバイス製造のための工程にはよく知られた手法を採用すればよいので、ここでは詳述しない。
【００９８】
又、上述各実施例は半導体露光装置であったが、液晶パネル等のデバイス製造の為の露光装置であっても、本発明は良好に適用できる。
【００９９】
【発明の効果】
以上説明したように、干渉縞の位置合わせを、干渉光学系を経由した光を照射された回折格子からの回折光による干渉光の位相情報に基づいて行なうことにより、位置合わせに使う位置情報の分解能は回折格子の格子ピッチを下回る非常に高いものとなる。又、更に感光体の位置制御及びアライメントを行う手段を設ければ、既に下地にパターン形成された感光体のパターンに対する干渉縞の位置合わせが高精度に実行できる。又、更に縮小投影露光系を干渉光学系に併置する構成とすれば、一装置で縮小投影露光と二光束干渉露光とを実行でき、両者の多重露光に最適である。
【０１００】
また、干渉縞の位置ずれを検出して位置決めし、更に基板上のパターンの位置ずれを検出して位置決めすることにより、基板上のパターンの上に干渉縞を精度良く露光することが可能となる。特に、干渉縞を形成するための反射手段の位置変位により干渉縞を制御すれば、簡易且つ正確な干渉縞の位置決めが可能となる。また、更に基板用ステージに基準マーク台を設け、これの回折格子からの回折光の位相情報を得ることで干渉縞の位置検出を実行すれば、より正確な干渉縞の位置決めが実行される。特にこれを周波数変調を利用し、参照信号との位相差検出で実行すれば、その正確度は更に向上する。又、干渉縞の位置ずれを干渉縞配列方向のシフト量（Ｓｘ）、回転量（ωz）、干渉縞の倍率（β）の３つのパラメータに関して検出する及び／又は回路パターンの配列誤差をＸ軸方向のシフトエラー（Ｓｗｘ）、Ｙ軸方向のシフトエラー（Ｓｗｙ）、Ｘ軸方向の倍率エラー（βｘ）、Ｙ軸方向の倍率エラー（βｙ）、Ｘ軸の回転エラー（Ｒｘ）、Ｙ軸の回転エラー（Ｒｙ）の６つのパラメータに関して検出すれば、より正確な干渉縞と回路パターンとの位置合わせが実行できる。又、更に基準マーク台のマークを基板位置検出手段で検出して干渉縞に対する基板位置検出手段の位置変動を補正する構成とすれば、ベースライン補正も容易且つ正確となる。
【０１０１】
また、縮小投影露光系と２光束干渉露光系を設け、干渉縞の位置ずれを検出して位置決めし、更に基板上のパターンの位置ずれを検出して位置決めし、且つレチクルを前記縮小投影露光系に位置合わせし、更に基板を縮小投影露光系に位置決めすることにより、基板上のパターンの上に干渉縞を精度良く露光し、且つレチクル上パターンを該基板上に精度良く露光することが可能となる。更に二光束干渉露光、縮小投影露光、二光束干渉露光と縮小投影露光の多重露光の３つの露光モードが選択できる構成とすれば、一つの装置で多様な露光が実行でき、例えば粗い回路パターンは縮小投影露光系で露光し、微細なラインアンドスペースパターンは２光束干渉露光系で露光し、縮小投影露光と２光束干渉露光の多重露光により、必要な領域のみに微細なラインアンドスペースパターンを形成できるような構成もできるので、多様なパターンを露光できる。又、更に干渉縞形成手段と縮小投影露光系の光源波長を等しくすれば、基板上の感光体を露光する際の感光体感度の波長分散性を考慮する必要がなくなり、より好ましい。
【０１０２】
そして、このような露光装置を用いてデバイスを製造すれば、より微細で高精度な回路を有する小型高集積度のデバイス製造が可能となる。
【図面の簡単な説明】
【図１】従来例を説明する図。
【図２】第１実施例の干渉露光装置の模式図。
【図３】第１実施例の干渉縞形成手段、干渉縞制御手段、干渉縞位置検出手段を説明する図。
【図４】第１実施形態の干渉縞位置検出手段で使用するビーム分割手段。
【図５】第１実施形態の干渉縞位置検出手段を説明する図。
【図６】第１実施形態の干渉縞位置検出手段で検出する干渉縞の位置を示す図。
【図７】第１実施形態の干渉縞位置検出手段の固定値（オフセット）計測方法を示す図。
【図８】第１実施形態の干渉縞の回転エラーを示す図。
【図９】第１実施形態の干渉縞の倍率補正を説明する図。
【図１０】第１実施形態のウエハ上のショット配列を示す図。
【図１１】第１実施形態のアライメント検出原理を説明する図。
【図１２】第１実施形態の露光シーケンス。
【図１３】第２実施形態の干渉露光装置の模式図。
【図１４】第２実施形態で使用するレチクル。
【図１５】第２実施形態の露光シーケンス。
【図１６】第２実施形態の多重露光方法を説明する図。
【図１７】第２実施形態の多重露光の原理を説明する図。
【符号の説明】
１  干渉縞形成手段
２  干渉縞制御手段（干渉縞位置制御手段）
３  干渉縞位置検出手段
４  基板位置検出手段
５  基板用ステージ
７  半導体基板
１１  可干渉光源
１２  偏光プリズム
１３  ビームスプリッタ
１４  ビームエクスパンダー
１５  偏光ビームスプリッタ
１６  λ／２板
１８，１９  ミラー
２０  干渉計
３０  位相差計
３３ａ，３３ｂ  周波数変調器
３５  ビーム分割素子
３６ａ  偏光板
３７ａ，３７ｂ，３７ｃ，３７ｄ  受光素子
３９  回折格子
４４  アライメントマーク
５５  レチクル
５６  縮小投影レンズ
５７  縮小投影露光系
５８  干渉露光系
【図１】
0004065468.tif 000007
【図２】
0004065468.tif 000008
【図３】
0004065468.tif 000009
【図４】
0004065468.tif 000010
【図５】
0004065468.tif 000011
【図６】
0004065468.tif 000012
【図７】
0004065468.tif 000013
【図８】
0004065468.tif 000014
【図９】
0004065468.tif 000015
【図１０】
0004065468.tif 000016
【図１１】
0004065468.tif 000017
【図１２】
0004065468.tif 000018
【図１３】
0004065468.tif 000019
【図１４】
0004065468.tif 000020
【図１５】
0004065468.tif 000021
【図１６】
0004065468.tif 000022
【図１７】
0004065468.tif 000023